(57)【要約】【課題】本発明は、外的衝撃を緩衝し得る新規なＤＣケーブル、前記ＤＣケーブルを具備する電力供給装置、前記電力供給装置を具備するファン付作業服を提供することを目的とする。【解決手段】  プラグ本体２１と、前記プラグ本体２１の一端から突出するプラグピン２２とからなるＤＣプラグ２を有するＤＣケーブル１において、前記プラグ本体２１の一端に、端面積を拡張するフランジ部４を設ける。【選択図】図１
2019003874.tif 000002
【特許請求の範囲】
【請求項１】
プラグ本体と、前記プラグ本体の一端から突出するプラグピンとからなるＤＣプラグと、
前記プラグ本体の他端から延びるコードと、
を具備してなるＤＣケーブルであって、
前記プラグ本体に、一端の端面積を拡張するフランジ部が設けられてなることを特徴とするＤＣケーブル。
【請求項２】
請求項１に記載のＤＣケーブルにおいて、
前記フランジ部の外縁に囲まれた部分の面積が、前記プラグ本体の胴体部分の断面積の１．５倍以上となされたＤＣケーブル。
【請求項３】
請求項１又は２に記載のＤＣケーブルと、
バッテリーボックスと、
を具備してなることを特徴とする電力供給装置。
【請求項４】
請求項３に記載の電力供給装置と、
前記電力供給装置からの電力の供給によってファンを回す送風装置と、
前記送風装置が取り付けられる被服と、
を具備してなることを特徴とするファン付作業服。
【発明の詳細な説明】
【技術分野】
【０００１】
本発明は、電力供給源から生じた電力を電力需要側に送電するためのＤＣケーブル、前記ＤＣケーブルを具備する電力供給装置、前記電力供給装置を具備するファン付作業服に関する。
【背景技術】
【０００２】
近年、被服に取り付けられたファンを回すことによって、前記被服内に風を送り込み、もって身体を冷却するファン付作業服が普及している（例えば、下記特許文献１参照。）。このファン付作業服には、前記ファンを回すための電力を供給する電力供給装置が不可欠である。そのため、前記ファン付作業服には、小型のバッテリーボックスが備えられており、ＤＣケーブルを通じて、前記バッテリーボックスから生じた電力を前記ファンに供給している。
【０００３】
通常、前記ＤＣケーブルと前記バッテリーボックスとの接続は、前記バッテリーボックスに備えられたＤＣジャックに、前記ＤＣケーブルの先端に設けられたＤＣプラグを差し込むことによって行われる。
【先行技術文献】
【特許文献】
【０００４】
【特許文献１】特開２０１７‐１０１３５４号公報
【発明の概要】
【発明が解決しようとする課題】
【０００５】
しかしながら、前記ファン付作業服は主に作業服として使用されるため、荷役等の作業時に前記ＤＣプラグに外的衝撃が与えられることがある。
【０００６】
前記ＤＣプラグに外的衝撃が与えられると、前記ＤＣプラグと共に、前記ＤＣプラグが差し込まれた前記ＤＣジャックが傾く。そして、前記ＤＣジャックが傾くと、前記バッテリーボックス内において前記ＤＣジャックを固定している基板に損傷が生じる場合がある。
【０００７】
本発明は、前記技術的課題に鑑みて完成されたものであり、外的衝撃を緩衝し得る新規なＤＣケーブル、前記ＤＣケーブルを具備する電力供給装置、前記電力供給装置を具備するファン付作業服を提供することを目的とする。
【課題を解決するための手段】
【０００８】
前記技術的課題を解決する本発明のＤＣケーブルは、プラグ本体と、前記プラグ本体の一端から突出するプラグピンとからなるＤＣプラグと、前記プラグ本体の他端から延びるコードと、を具備してなるＤＣケーブルであって、前記プラグ本体に、一端の端面積を拡張するフランジ部が設けられてなることを特徴とする（以下、「本発明ケーブル」と称する。）。
【０００９】
前記本発明ケーブルにおいては、前記フランジ部の外縁に囲まれた部分の面積が、前記プラグ本体の胴体部分の断面積の１．５倍以上となされたものが好ましい態様となる。
【００１０】
前記技術的課題を解決する本発明の電力供給装置は、前記本発明ケーブルと、バッテリーボックスと、を具備してなることを特徴とする（以下、「本発明電力供給装置」と称する。）。
【００１１】
前記技術的課題を解決する本発明のファン付作業服は、前記本発明電力供給装置と、前記本発明電力供給装置からの電力の供給によってファンを回す送風装置と、前記送風装置が取り付けられる被服と、を具備してなることを特徴とする(以下、「本発明ファン付作業服」と称する。)。
【発明の効果】
【００１２】
本発明によれば、ＤＣプラグに与えられた外的衝撃を緩衝することができる。
【図面の簡単な説明】
【００１３】
【図１】図１は、本発明ケーブルを示す斜視図である。
【図２】図２は、本発明電力供給装置を示す斜視図である。
【図３】図３は、バッテリーボックスに前記本発明ケーブルを接続した様子を示す斜視図（ａ）と、一部断面状態にて示す正面図(ｂ)である。
【図４】図４は、本発明ファン付作業服を示す背面図である。
【発明を実施するための形態】
【００１４】
以下、本発明の実施形態を図面に基づいて説明するが、本発明はこの実施形態に限定されるものではない。
【００１５】
＜本発明ケーブル１＞
図１に、本発明ケーブル１の一実施形態を示す。前記本発明ケーブル１は、ＤＣプラグ２と、コード３と、を具備する。
【００１６】
‐ＤＣプラグ２‐
前記ＤＣプラグ２は、プラグ本体２１とプラグピン２２とからなる。本実施形態における前記ＤＣプラグ２は、前記プラグ本体２１がＬ字型となされたＬ型ＤＣプラグである。前記プラグ本体２１は、ポリ塩化ビニル等の絶縁性樹脂からなるプラスチック成型品である。前記プラグピン２２は、円筒状の金属材料からなり、前記プラグ本体２１の一端から突出するようにして、前記プラグ本体２１に対して固定されている。
【００１７】
‐コード３‐
前記コード３は、前記プラグ本体２１の他端側から延びる。本実施形態において、前記コード３は、金属線を絶縁性材料にて被覆したものであり、一端が前記プラグ本体２１内において、前記プラグピンと接続している。
【００１８】
‐フランジ部４‐
そして、前記本発明ケーブル１には、前記プラグ本体２１に、一端の端面積を拡張するフランジ部４が設けられている。本実施形態において、前記フランジ部４は、前記プラグ本体２１と一体成型されたものであり、円盤状の平坦な座面４１を有する。
【００１９】
＜本発明電力供給装置１０＞
図２に、本発明電力供給装置１０の一実施形態を示す。前記本発明電力供給装置１０は、本発明ケーブル１と、バッテリーボックス５と、を具備する。
【００２０】
‐本発明ケーブル１‐
本実施形態における前記本発明ケーブル１は、前述のものと同様のである。
【００２１】
‐バッテリーボックス５‐
前記バッテリーボックス５は、電力供給源であり、本実施形態においては、充電によって電気を蓄え、繰り返し電池として使用することができる二次電池（充電式リチウムイオン電池）を用いた。前記バッテリーボックス５には、前記本発明ケーブル１のＤＣプラグ２を差し込み得るＤＣジャック５１が設けられている。
【００２２】
図３(ａ)に示すように、前記構成を有する前記本発明電力供給装置１０では、前記バッテリーボックス５のＤＣジャック５１に、前記本発明ケーブル１のＤＣプラグ（プラグピン２２）２を差し込むことによって、前記本発明ケーブル１が前記バッテリーボックス５に接続される。即ち、前記本発明電力供給装置１０は、電力供給源となる前記バッテリーボックス５から発生する電力を、前記本発明ケーブル１を通じて、図示しない電力需要側に送電する仕組みとなされている。
【００２３】
そして、図３（ｂ）に示すように、この接続の際、前記本発明ケーブル１のフランジ部４の座面４１が前記バッテリーボックス５の壁面に面接触する。前記バッテリーボックス５の壁面に面接触した前記フランジ部４は、前記ＤＣプラグ２のぐらつきを抑制する。これより、前記本発明電力供給装置１０に対して外的衝撃が与えられても、前記ＤＣジャック５１に伝達される負荷が緩衝される、前記ＤＣジャック５１が固定されている基板５２に損傷が生じ難くなる。
【００２４】
なお、前記本発明ケーブル１のフランジ部４によって囲まれた部分の面積が大きくなればなるほど、前記ＤＣプラグ２と前記ＤＣジャック５１との接続状態が安定する。そのため、本発明においては、前記フランジ部４の外縁に囲まれた部分の面積につき、前記プラグ本体２１の胴体部分の断面積の１．５倍以上（より好ましくは、２〜３倍）とすることが好ましい。
【００２５】
ところで、前述の実施形態においては、前記フランジ部４として座面４１が円形となされたものを用いているが、前記座面４１の形状は特に限定されず、例えば、楕円、四角形等の各種形状を選択することができる。
【００２６】
又、前述の実施形態においては、前記本発明ケーブル１のＤＣプラグ２として、Ｌ型ＤＣプラグを用いているが、本発明においては、プラグ本体２１の形状は特に限定されず、例えば、プラグ本体２１が直線状となされていても良い。
【００２７】
更に、前述の実施形態においては、前記バッテリーボックス５として、二次電池を用いているが、前記バッテリーボックス５の仕組み（種類）は特に限定されず、例えば、前記バッテリーボックス５として組電池を用いても良い。
【００２８】
＜本発明ファン付作業服１００＞
図４に、本発明ファン付作業服１００の一実施形態を示す。前記本発明ファン付作業服１００は、本発明電力供給装置１０と、送風装置６と、被服７と、を具備する。
【００２９】
‐本発明電力供給装置１０‐
前記本発明電力供給装置１０は、本発明ケーブル１と、バッテリーボックス５と、を具備する。本実施形態において使用される前記本発明ケーブル１は、コード３の末端が二本に枝分かれしている点を除けば、前述のものと同様である。
【００３０】
‐送風装置６‐
前記送風装置６は、前記本発明電力供給装置１０からの電力の供給を受けてファン６１を回すものである。本実施形態においては、前記送風装置６を二個用いており、各送風装置６には、前記本発明電力供給装置１０の枝分かれしたコード３がそれぞれ接続される。
【００３１】
‐被服７‐
前記被服７には、前記送風装置６が取り付けられる。本実施形態においては、前記被服の背中部分の二箇所に穴をあけ、各穴それぞれに前記送風装置６を取り付けている。なお、前記被服７に前記送風装置６を取り付けるにあたり、前記送風装置６から発生する風が前記被服７の内部に向かう様にしている。
【００３２】
前記構成を有する本発明ファン付作業服１００を着用し、前記本発明電力供給装置１０から前記送風装置６に電力を供給すれば、ファン６１が回転し、前記本発明ファン付作業服１００の内部に風が送り込まれる。これにより、夏季作業や高温環境下の作業現場において、使用者の体温を下げることができ、熱中症などの発生を抑制することができる。
【００３３】
又、前記本発明ファン付作業服１００は、本発明電力供給装置１０にて前記送風装置６に電力を供給するものであることから、例えば、荷役等の作業時に前記本発明電力供給装置１０に外的衝撃が与えられても、前記本発明ケーブル１のＤＣジャック５１に伝達される負荷を緩衝することができる。
【００３４】
なお、本発明は、その精神または主要な特徴から逸脱することなく、他のいろいろな形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【符号の説明】
【００３５】
１  本発明ケーブル（ＤＣケーブル）
２  ＤＣプラグ
２１  プラグ本体
２２  プラグピン
３  コード
４  フランジ部
５  バッテリーボックス
６  送風装置
７  被服
１０  本発明電力供給装置
１００  本発明ファン付作業服
【図１】
2019003874.tif 000003
【図２】
2019003874.tif 000004
【図３】
2019003874.tif 000005
【図４】
2019003874.tif 000006